(57)【要約】【課題】薄型化を図ることができ、装置背面側の配線ケーブルの挿抜作業を容易に行うことが可能となる薄型表示装置を提供する。【解決手段】画像を表示する表示パネルと、入出力端子群を実装した入出力端子基板等を、外装筐体に収容した薄型表示装置であって、  入出力端子基板は、信号処理基板とは別体として設けられ、入出力端子基板の入出力端子群の実装面と反対面に設けられた電気的接続手段によって、入出力端子基板と信号処理基板とが電気的接続可能に構成され、  入出力端子基板が前記実装面を前記表示パネル側に向けて配置されると共に、該入出力端子基板はその下方側が末広がり状となるように表示パネルに対して傾斜して設置され、  外装筐体の背面側に、入出力端子基板の傾斜と略平行になる面が設けられ、  入出力端子基板に実装された入出力端子群の配線ケーブルとの挿抜部に対し、配線ケーブルが、入出力端子基板の傾斜方向下向きに挿抜可能とされている。【選択図】            図４
2010181433.tif 000002
【特許請求の範囲】
【請求項１】
画像を表示する表示パネルと、
前記表示パネルを背面で保持する保持部材と、
前記保持部材の背面側に設置されている、前記表示パネルの周縁に配置され前記表示パネルを駆動制御する複数の駆動基板、入出力端子群を実装した入出力端子基板、及び、
前記駆動基板と電気的に接続され前記入出力端子群から入出力される信号を処理する信号処理基板、による各基板と、を備え、
これらを、外装筐体に収容した薄型表示装置であって、
前記入出力端子基板は、前記信号処理基板とは別体として設けられ、前記入出力端子基板の前記入出力端子群の実装面と反対面に設けられた電気的接続手段によって、これら入出力端子基板と信号処理基板とが電気的接続可能に構成され、
前記入出力端子基板が前記実装面を前記表示パネル側に向けて配置されると共に、該入出力端子基板はその下方側が末広がり状となるように前記表示パネルに対して傾斜して設置され、
前記外装筐体の背面側に、前記入出力端子基板の傾斜と略平行になる面が設けられ、
前記入出力端子基板に実装された前記入出力端子群の配線ケーブルとの挿抜部に対し、前記配線ケーブルが、前記入出力端子基板の傾斜方向下向きに挿抜可能とされていることを特徴とする薄型表示装置。
【請求項２】
前記外装筐体の背面側における前記入出力端子群が実装されている該外装筐体を形成する面の立ち上がり部に、前記表示パネルの表示面と略平行な面が設けられていることを特徴とする請求項１に記載の薄型表示装置。
【発明の詳細な説明】
【技術分野】
【０００１】
本発明は薄型表示装置に係り、特に外部機器およびカード、メディア等と接続される入出力端子等の外部インターフェィスを備えた薄型表示装置に関する。
【背景技術】
【０００２】
液晶パネルやプラズマパネルに代表される薄型のパネルモジュールを用いた薄型表示装置は大画面化が進み、設置する際のスペース効率のよい薄型の装置が求められている。
また、薄型表示装置は各種用途に使用されるため、ハードディスクレコーダ、デジタルカメラ等様々な外部機器との接続可能な入出力端子を設けている。
特に、装置背面には多くの入出力端子が設けられており、一般に配線ケーブルの挿抜方向は、表示パネルに垂直、若しくは平行となっている。
配線ケーブルの挿抜方向を表示パネルに垂直となるように設けると、接続した配線ケーブルを引き回し処理するために、装置背面の厚さ方向にスペースを必要としてしまうこととなる。
このようなことから、設置スペースの効率を考慮すると配線ケーブルの挿抜方向は表示パネルと略平行で装置下向き又は横向きに設けることが望ましい。
【０００３】
つぎに、図を用いて従来技術の薄型表示装置の構成について説明する。
図７に、従来技術における薄型表示装置の構成について説明する部分断面図を示す。
薄型表示装置１０１は、画像を表示する表示パネル１０２を前面側からベゼル１０３、背面側からリアカバー１０４で収容した構造となっている。
表示パネル１０２は背面側をシャーシ１０５で保持されている。
シャーシ１０５の背面側には、表示パネル１０２周縁に複数の駆動基板１０６と、入出力端子群１０７を実装し入出力端子群１０７からの信号を処理し、駆動基板１０６と接続される信号処理基板１０８が設けられている。
信号処理基板１０８は、表示パネル１０２と平行となるように設置されている。背面側にはリアカバー１０４に、入出力端子群１０７に対してそれぞれ応じた開口群１０４ａが設けられており、配線ケーブル１５０が表示パネル１０２に平行で装置下向きに挿抜可能となっている。
【０００４】
また、特許文献１では、つぎのような薄型表示装置が提案されている。
この装置では、外部機器に接続される接続ケーブルのコネクタが接続可能な外部接続端子を表示部の背面側に設けた薄型表示装置において、この外部接続端子を表示部の画面垂直方向に対し、所定の鋭角を有した方向に接続ケーブルのコネクタと接続される。
つまり、出力端子基板を分割して、表示面に対して斜めに設置し配線ケーブルがスピ−カーとの干渉をさける様にして薄型化するように構成されている。
【先行技術文献】
【特許文献】
【０００５】
【特許文献１】特開２００６−３５０２９６号公報
【発明の概要】
【発明が解決しようとする課題】
【０００６】
しかしながら、上記した従来技術における薄型表示装置では、図８（ａ）に示すように、入出力端子群１０７を実装した信号処理基板１０８が表示パネル１０２と平行となるように設置されている。
このため、配線ケーブル１５０が駆動基板１０６を越えられる高さ（厚さ）まで、信号処
理基板１０８をシャーシ１０５に対して高く（厚く）設置する必要があった。
すなわち、駆動基板１０６がシャーシ１０５に設置可能な最小高さ（厚さ）ｈ１によりシャーシ１０５に設置されているときでも、信号処理基板１０８はシャーシ１０５に対してｈ１よりも大きい設置高さ（厚さ）ｈ２で設置しなければならない。
【０００７】
また、特許文献１記載の構造では、図８（ｂ）に示すように、入出力端子群１０７を実装した入出力端子基板１０９を実装面が装置背面向きで、且つ表示パネル１０２に対して傾斜させて配置されている。
このため、入出力端子基板１０９の入出力端子群１０７を実装した端と反対の端を設置可能な最小高さ（厚さ）ｈ１で設置しても、入出力端子群１０７の実装端では最小高さｈ１より大きい設置高さ（厚さ）ｈ３で設置されることとなる。
このようなことから、これらのいずれの場合においても、シャーシ１０５より背面方向の装置厚さは、ｈ２またはｈ３の厚さとなり、ｈ１よりも大きい設置高さ（厚さ）となる。また、特許文献１記載の構造のように入出力端子基板を表示パネルに対して傾けて設けた場合、配線ケーブルの挿抜作業の際に、作業者は前述した傾きを視認することができないため挿抜作業が困難であった。
特に、配線ケーブルを引き抜く際に、表示パネルに対して平行となるように下向き引き抜いてしまうと、入出力端子の半田部分に荷重が掛かってしまう可能性が生じる。
【０００８】
本発明は、上記課題に鑑み、薄型化を図ることができ、装置背面側の配線ケーブルの挿抜作業を容易に行うことが可能となる薄型表示装置を提供することを目的とするものである。
【課題を解決するための手段】
【０００９】
本発明は、次のように構成した薄型表示装置を提供するものである。
本発明の薄型表示装置は、
画像を表示する表示パネルと、
前記表示パネルを背面で保持する保持部材と、
前記保持部材の背面側に設置されている、前記表示パネルの周縁に配置され前記表示パネルを駆動制御する複数の駆動基板、入出力端子群を実装した入出力端子基板、及び、
前記駆動基板と電気的に接続され前記入出力端子群から入出力される信号を処理する信号処理基板、による各基板と、を備え、
これらを、外装筐体に収容した薄型表示装置であって、
前記入出力端子基板は、前記信号処理基板とは別体として設けられ、前記入出力端子基板の前記入出力端子群の実装面と反対面に設けられた電気的接続手段によって、これら入出力端子基板と信号処理基板とが電気的接続可能に構成され、
前記入出力端子基板が前記実装面を前記表示パネル側に向けて配置されると共に、該入出力端子基板はその下方側が末広がり状となるように前記表示パネルに対して傾斜して設置され、
前記外装筐体の背面側に、前記入出力端子基板の傾斜と略平行になる面が設けられ、
前記入出力端子基板に実装された前記入出力端子群の配線ケーブルとの挿抜部に対し、前記配線ケーブルが、前記入出力端子基板の傾斜方向下向きに挿抜可能とされていることを特徴とする。
また、本発明の薄型表示装置は、前記外装筐体の背面側における前記入出力端子群が実装されている該外装筐体を形成する面の立ち上がり部に、前記表示パネルの表示面と略平行な面が設けられていることを特徴とする。
【発明の効果】
【００１０】
本発明によれば、薄型化を図ることができ、装置背面側の配線ケーブルの挿抜作業を容易に行うことが可能となる薄型表示装置を実現することができる。
【図面の簡単な説明】
【００１１】
【図１】本発明の実施例１における薄型表示装置の構成を説明する正面図。
【図２】本発明の実施例１における薄型表示装置の構成を説明する背面図。
【図３】本発明の実施例１の薄型表示装置におけるリアカバ−を外した状態の背面図。
【図４】本発明の実施例１における薄型表示装置の構成を説明する部分断面図。
【図５】本発明の実施例１における薄型表示装置の厚さについて説明する図。
【図６】本発明の実施例２における薄型表示装置の構成を説明する部分断面図。
【図７】従来技術における薄型表示装置の構成について説明する部分断面図。
【図８】従来技術の薄型表示装置における入出力端子部の構成を説明する簡略図。（ａ）は入出力端子群を実装した信号処理基板を表示面に対して平行に設置した例を示す図。（ｂ）は入出力端子群を実装した入出力端子基板を表示面に対して傾斜させて設置した例を示す図。
【発明を実施するための形態】
【００１２】
本発明を実施するための最良の形態を、以下の実施例により説明する。
【実施例】
【００１３】
以下に、本発明の実施例について説明する。
［実施例１］
実施例１として、本発明の構成を適用した薄型表示装置の構成例について説明する。
図１に、本実施例における薄型表示装置の構成を説明する正面図を示す。
図２に、本実施例における薄型表示装置の構成を説明する背面図を示す。
図１、図２において、１は薄型表示装置、２は表示パネル、３はベゼル、４はリアカバー、５は入出力端子群、５０は配線ケーブル、５１はスタンドである。
【００１４】
本実施例の薄型表示装置１は、画像を表示する表示パネル２と、表示パネル２の背面側に設置されている入出力端子群５を実装した入出力端子基板等が、外装筐体に収容されている。
具体的には、図１及び図２に示されているように、画像を表示する表示パネル２を前面側からベゼル３、背面側からリアカバー４で収容した構造となっている。そして、背面側には入出力端子群５を設けてあり、配線ケーブル５０は装置下向きに挿抜される。
配線ケーブル５０は放送波を受信するためのアンテナケーブル、外部機器との映像、音声信号を入力するためのＨＤＭＩケーブル、インターネット等に接続するためのＬＡＮケーブル等がある。
薄型表示装置１はスタンド５１や図示しない壁掛け金具で保持される。
【００１５】
つぎに、本実施例の薄型表示装置における詳細構造について説明する。
図３に、本実施例の薄型表示装置におけるリアカバ−を外した状態の背面図を示す。
図４に、本実施例における薄型表示装置の構成を説明する部分断面図を示す。
これらの内部構造は、前記表示パネル２を背面で保持する保持部（シャーシ６）材と、前記保持部材の背面側には、つぎのような各基板が設置された構成を備える。
すなわち、前記表示パネルの周縁に配置され前記表示パネルを駆動制御する複数の駆動基板７、入出力端子群５を実装した入出力端子基板８、前記駆動基板と電気的に接続され前記入出力端子群から入出力される信号を処理する信号処理基板９による各基板を備える。ここで、シャーシ６の材質は導電性金属であるアルミニウムもしくは鉄の薄板で、電気回路的にはシャーシグランドとして機能している。
また、入出力端子基板８が前記入出力端子群５を実装した実装面を前記表示パネル側に向けて配置されると共に、該入出力端子基板８はその下方側が末広がり状となるように前記
表示パネル２に対して傾斜して設置されている。
【００１６】
つぎに、薄型表示装置１における外装筐体について説明する。
前面側の外装筐体であるベゼル３は表示パネル２の外周部に、装置厚さ内に収容可能なスピーカー５２を保持しており、背面側の外装筐体であるリアカバー４と締結されている。ここで、本実施例においては、前記外装筐体の背面側に、前記入出力端子基板の傾斜と略平行になる面が設けられている。
また、前記入出力端子基板に実装された前記入出力端子群の配線ケーブルとの挿抜部に対し、前記配線ケーブルが、前記入出力端子基板の傾斜方向下向きに挿抜可能とされている。
すなわち、リアカバー４の背面側には、表示パネル２に対して傾斜して設置された入出力端子基板８と略平行となる面４ａと、入出力端子群５にそれぞれに応じた開口群４ｂが設けられており、配線ケーブル５０が面４ａに平行な方向に挿抜可能となっている。
【００１７】
ここで各基板の関係について説明する。
駆動基板７は一方を、フレキシブル配線基板１０で表示パネル２に、他方もフレキシブル配線基板１０で信号処理基板９に接続されている。
また、前記入出力端子基板８は、前記信号処理基板９とは別体として設けられ、前記入出力端子基板の前記入出力端子群の実装面と反対面に設けられた電気的接続手段によって、これら入出力端子基板と信号処理基板とが電気的接続可能に構成されている。
すなわち、入出力端子基板８は非実装面に設けた接続コネクタ１１と接続配線１２により信号処理基板９と接続される。
これらにより、配線ケーブル５０より入力された映像信号は入出力端子基板８、信号処理基板９、及び、駆動基板７を経て表示パネル２に表示される。
また、入力された音声信号は、同様に信号処理基板９を介してスピーカー５２から出力される。
【００１８】
本実施例における薄型表示装置の厚さについて説明する。
図５に、本実施例における薄型表示装置の厚さについて説明する図を示す。
入出力端子群５を実装した入出力端子基板８を信号処理基板９と別に設けたことにより、信号処理基板９は駆動基板７と同様にシャーシ６に対する設置最小高さ（厚さ）ｈ１で設置することができる。
また、入出力端子基板８を表示面に対して傾斜させ、入出力端子基板８の実装面を表示パネル２側に向け、且つ実装面と反対面に信号処理基板９との接続コネクタ１１を設けたことにより、入出力端子基板８を設置最小高さ（厚さ）ｈ１で設置することができる。
以上の構成により、シャーシ６に対する入出力端子基板８の設置全高さ（厚さ）ｓ１は、入出力端子基板８の実装高さ（厚さ）をｋ、傾斜角をαとするとｓ１＝ｈ１＋ｋ・ｃｏｓ（α）となる。
また、図８（ａ）、（ｂ）に示すように従来技術および特許文献１記載の構造における設置全高さ（厚さ）ｓ２、ｓ３はそれぞれ同様にｓ２＝ｈ２＋ｋ、ｓ３＝ｈ３＋ｋ・ｃｏｓ（α）となる。
【００１９】
ここで、仮に傾斜角αを１０°、入出力端子基板８の実装高さ（厚さ）を１５ｍｍとすると傾斜させたときの入出力端子基板８の高さ（厚さ）は１５×ｃｏｓ（１０°）≒１４．８である。
したがって、入出力端子基板８の実装高さ（厚さ）ｋとα°傾斜させたのときの高さ（厚さ）ｋ・ｃｏｓ（α）の差はわずかであり、ｋ≒ｋ・ｃｏｓ（α）と考えるとｓ１＝ｈ１＋ｋ、ｓ２＝ｈ２＋ｋ、ｓ３＝ｈ３＋ｋである。
これらから、装置の厚さの主要因となる設置高さ（厚さ）ｓ１〜ｓ３は、ｈ１〜ｈ３に依存することが分かる。
【００２０】
従来技術の構造では入出力端子群１０７を実装した信号処理基板１０８を表示パネル１０２と平行となるように設置している。
このため、配線ケーブル１５０が設置最小高さ（厚さ）ｈ１で設置した駆動基板１０６を越えるには、信号処理基板１０８はシャーシ１０５に対してｈ１より大きい設置高さ（厚さ）ｈ２で設置される（ｈ１＜ｈ２）。
また、特許文献１記載の構造でも、入出力端子群１０７を実装した入出力端子基板１０９を実装面が装置背面向きで、且つ表示パネル１０２に対して傾斜させて配置している。
このため、入出力端子基板１０９の入出力端子群１０７を実装した端と反対の端を設置最小高さ（厚さ）ｈ１としても、入出力端子群１０７の実装端では最小高さ（厚さ）ｈ１より大きい設置高さ（厚さ）ｈ３となる（ｈ１＜ｈ３）。
ｈ１が採用可能な本実施例の構成を採ることにより、薄型表示装置をより薄くすることが可能となる。
以上により、本実例の薄型表示装置では、すべての基板をシャーシに対する最小設置高さｈ１で設置できることから、従来よりもさらに薄型化が可能になる。
【００２１】
つぎに、本実施例の薄型表示装置における配線ケーブル挿抜作業について説明する。
作業者は、外装筐体の背面側に入出力端子基板と略平行な面を設けたことにより、配線ケーブルの挿抜作業の際に、入出力端子群の表示パネルに対する傾きを視認することやガイドとして利用して作業することができる。
また、配線ケーブルを引き抜く際に、表示パネルに対して平行となるように下向きに引き抜こうとしても前述の入出力端子基板と略平行な面により、規制され、入出力端子群および基板には傾き方向の荷重しか掛からないようにして、引き抜くことができる。
したがって、本実施例の構成によれば、配線ケーブルの挿抜作業が容易となる。
【００２２】
［実施例２］
実施例２として、前記外装筐体の背面側における前記入出力端子群が実装されている該外装筐体を形成する面の立ち上がり部に、前記表示パネルの表示面と略平行な面が設けられている構成例について説明する。
図６に、本実施例における薄型表示装置の構成を説明する部分断面図を示す。
本実例における薄型表示装置１の内部構造については、入出力端子が配置される面の立ち上がり部に、表示パネル２と略平行となるような面４ｃが設けられるようにした構成以外は、基本的には実施例１と同様の構造となっている。
すなわち、本実施例の薄型表示装置１の外装筐体の背面側であるリアカバー４には、実施例１と同様に、表示パネル２に対して傾斜して設置された入出力端子基板８と略平行となる面４ａと、入出力端子群５にそれぞれに応じた開口群４ｂが設けられている。
さらに、本実施例では、実施例１とは異なり、入出力端子が配置される面の立ち上がり部に表示パネル２と略平行となるような面４ｃが設けられている。
【００２３】
この様にすることで、実施例１の機能に加え、以下の効果が得られる。
通常、薄型表示装置に配線ケーブルを挿抜作業する際、作業者は配線ケーブルの入出力端子との嵌合部近傍の側面を指先ではさみ挿抜する。
実施例１の構造では、入出力端子基板８と略平行となる面４ａが設けられているため、装置厚み方向に対して配線ケーブル厚み程度までしか指先を入れることができなかった。
これに対して、本実施例の薄型表示装置では外装筐体の背面側であるリアカバー４における入出力端子が配置される面の立ち上がり部に、表示パネルの表示面と略平行となるような面４ｃが設けられている。
これにより、装置厚み方向に対して配線ケーブル厚みを越えて指先を入れることができる。
このため、配線ケーブルをより強くはさむことができ、接続作業をより容易に行うことが
可能となる。
【００２４】
上記各実施例の説明では、入出力端子および配線ケーブルについて記載したが、本発明は抜き差し可能なＳＤカード等の各種メディア等にも実施可能である。また、上記各実施例で説明したように、本発明においては入出力端子群を実装した入出力端子基板を信号処理基板と別に設けたことにより、信号処理基板の設置高さは駆動基板と同じ高さにすることができる。
また、入出力端子基板を表示面に対して傾斜させて設けたことにより、入出力端子基板の設置高さを高くせずに、配線ケーブルが駆動基板を越えることができる。
入出力端子基板の実装面を表示パネル側に向け、且つ実装面と反対面に信号処理基板との電気的接続手段を設けたことにより、入出力端子基板はシャーシに対して設置可能な最小高さで設置できる。
以上の構成により、全ての基板をシャーシに対して設置可能な最小高さで設置できるため、従来よりもさらに薄型の表示装置が提供可能になる。
また、外装筐体の背面側に入出力端子基板と略平行な面を設けたことにより、配線ケーブルの挿抜作業の際に、作業者は、入出力端子群の表示パネルに対する傾きを視認することやガイドとして利用して作業することができる。
また、配線ケーブルを引き抜く際に、表示パネルに対して平行となるように下向きに引き抜こうとしても前述の入出力端子基板と略平行な面により、規制され、入出力端子群および基板には傾き方向の荷重しか掛からないようにして、引き抜くことができる。
したがって、本実施例の構成によれば、配線ケーブルの挿抜作業が容易となる。
【符号の説明】
【００２５】
１：薄型表示装置
２：表示パネル
３：ベゼル
４：リアカバー
４ａ、４ｃ：面
４ｂ：開口群
５：入出力端子群
６：シャーシ
７：駆動基板
８：入出力端子基板
９：信号処理基板
１０：フレキシブル配線基板
１１：接続コネクタ
１２：接続配線
５０：配線ケーブル
５１：スタンド
５２：スピーカー
ｓ１、ｓ２、ｓ３：設置全高さ
ｈ１、ｈ２、ｈ３：設置高さ
ｋ：入出力端子基板の実装高さ
α：傾斜角
【図１】
2010181433.tif 000003
【図２】
2010181433.tif 000004
【図３】
2010181433.tif 000005
【図４】
2010181433.tif 000006
【図５】
2010181433.tif 000007
【図６】
2010181433.tif 000008
【図７】
2010181433.tif 000009
【図８】
2010181433.tif 000010